(57)【要約】【課題】シャッタ装置を流体管の外径が変化しても安定して取付けし得るようにする。【解決手段】既設水道管１に分岐口２を穿孔し、その分岐口２に分水栓Ｖを取付ける。その際に使用する分水栓取付用シャッタ装置１０を水道管１に取付固定する。シャッタ装置１０のケーシング１１に対のフック軸２０を挿通し、その一方のフック軸２０から水道管１を回って他方のフック軸２０に至るチェーン３により、シャッタ装置１０と水道管１を締結取付する。フック軸２０は３６０度回転自在でそのどの位置でも全外周面でケーシング１１に支持され、取付状態は安定する。チェーン３からの引張力に対しては、軸全長で担うため、軸２０は、その引張力による曲げ応力にも強いものとなり、極力、細くし得る。このため、ケーシング１１及び軸２０も小型化できる。フック軸２０とチェーン３はフック２６、ナット２８で締結し、そのナット２８の座金２７は凹部２３に嵌めて抜け止めする。【選択図】  図１
2004176854.tif 000002
【特許請求の範囲】
【請求項１】
水道管などの流体管１に分岐口２を穿孔し、その分岐口２に分水栓Ｖを取付ける際に使用する分水栓取付用シャッタ装置１０を前記流体管１に取付固定する取付構造において、
上記シャッタ装置１０のケーシング１１を上記流体管１に当てがい、そのケーシング１１に前記流体管１に沿う対のフック軸２０をその軸周りに回転自在に挿通し、その一方のフック軸２０から前記流体管１を回って他方のフック軸２０に至るチェーン３などの締結条により、前記ケーシング１１と流体管１を締結したことを特徴とする分水栓取付用シャッタ装置取付構造。
【請求項２】
上記フック軸２０にフック２６の軸部２６ａを挿し通し、その軸部２６ａの端にナット２８をねじ込んで、前記フック軸２０にフック２６を固定し、そのフック２６に上記締結条３を固定するようにしたことを特徴とする請求項１に記載の分水栓取付用シャッタ装置取付構造。
【請求項３】
上記フック軸２０のフック軸部２６ａの挿通孔２２を前記フック軸２０の端面に開口させて、その開口から前記フック軸部２６ａを前記挿通孔２２に出し入れ可能とし、かつ、前記フック軸２０には上記ナット２７、２８が嵌って抜け止めされる凹部２３を形成したことを特徴とする請求項２に記載の分水栓取付用シャッタ装置取付構造。
【請求項４】
上記ケーシング１１に上記フック軸２０に至るボルト２５をねじ込んで、そのボルト２５の先端をフック軸２０の周方向の溝２４に嵌めることにより、フック軸２０の軸方向の移動を阻止するようにしたことを特徴とする請求項１乃至３のいずれかに記載の分水栓取付用シャッタ装置取付構造。
【発明の詳細な説明】
【０００１】
【発明の属する技術分野】
この発明は、水道管などの流体管に分岐口を穿孔し、その分岐口に分水栓を取付ける際、その分岐口を形成する装置（穿孔機）、分岐口にパッキンを介して取り付けられる分水栓を装着する装置（拡径機）などを流体管に取付けるために使用するシャッタ装置を前記流体管に取付固定する構造に関するものである。
【０００２】
【従来の技術】
既設の水道管に分水栓を新たに取付ける一般的な方法は、水道管に分岐口を形成し（穿孔し）た後、分岐口にパッキンを嵌め、そのパッキンを介して分水栓を分岐口に嵌め込み固定する。このとき、既設水道管には水が流れているため、分岐口からの噴水を止めつつ、各作業を行う必要がある。その噴水を止めつつ各作業をするための装置として、シャッタ装置がある。
【０００３】
この従来のシャッタ装置は、図７に示すように、水道管１の分岐口２部分にシャッタ装置５０のケーシング５１を載せ、そのケーシング５１をチェーン５２でもって締結することにより、水道管１に取付固定される。ケーシング５１内には、ケーシング５１内を横切るように進退可能なシャッタ板（実施例参照）、ボール弁（特許文献１参照）などから成るシャッタが設けられ、このシャッタにより、前記分岐口２部分とケーシング５１の穿孔機等の装置取付部５３とを連通・遮断する。
【０００４】
このシャッタ装置５０でもって、分水栓を既設水道管１に取付けるには、このシャッタ装置５０を水道管１に取付固定した状態において、まず、シャッタ装置５０のケーシング装置取付部５３に穿孔機（図示せず）を取付け、シャッタを開けた状態で、その穿孔機の棒状穿孔具をシャッタ装置を貫通しつつ、その穿孔具により分岐口部分に分岐口２を形成し、その後、シャッタを閉じて穿孔機をシャッタ装置５０から外し、つぎにシャッタ装置５０に拡径機を取付け、再びシャッタを開いて、その拡径機でもって、分岐口２にパッキン６を嵌めつつ、分水栓を取付ける。分水栓を取付後、拡径機を外し、つづいて、シャッタ装置を取外す（詳細は、特許文献１、特許文献２参照）  。
【０００５】
【特許文献１】
特開平９−２１７３９１号公報
【特許文献２】
特開平１１−１９０４５７号公報
【０００６】
【発明が解決しようとする課題】
このシャッタ装置５０の従来の取付構造は、図７、図８に示すように、ケーシング５１両側面のフック部５４に半月状座金５５を介してボルト・ナット５６によりチェーン５２の端を締め付け固定している。この取付構造にあっては、半月状座金５５がフック部５４の半月状凹部５７内をその周方向に滑りながら回転するため、流体管１の外径に応じたフック部５４に対するチェーン５２の傾き変化に対し、その回転によって対応し、チェーン５２が流体管１の外径接線方向に向く。
【０００７】
しかし、図９に示すように、流体管１が大径のものの場合、ボルト・ナット５６を締め上げると、フック部５４の根本部５４ａに大きな曲げモーメントがかかる。このため、その曲げモーメントに耐えるべく、図示のごとく、その根本部５４ａを太く（厚く）するなどしなくてはならず、ケーシング５１の重量大となり、コストアップの一原因となっている。
【０００８】
また、流体管１の外径が大きくなればなるほど、半月状座金５５の傾きも大きくなり、フック部５４の凹部５７との接触部分が減って、取付状態が不安定となる。
【０００９】
この発明は、上記実情の下、ケーシング側部に大きな曲げモーメントが加わることなく、かつ、流体管の外径が大きくなっても、シャッタ装置を流体管に安定して取付け得るようにすることを課題とする。
【００１０】
【課題を解決するための手段】
上記の課題を達成するために、この発明は、上記チェーンの支持を、ケーシングに回転自在に嵌め通された軸（嵌挿軸）で行い、流体管の外径変化に基づくチェーンの傾きに対し、その軸の回転で対応するようにしたのである。
【００１１】
ケーシングに嵌め通された軸であれば、３６０度の回転が自在であって、そのどの位置でも、軸はその全外周面でケーシングに支持されるため、シャッタ装置の取付け状態は安定する。また、チェーンからの引張力に対しては、軸全長で担うため、軸は、その引張り力による曲げ応力にも強いものとなり、極力、細くし得る。このため、ケーシング及び軸も小型化できる。
【００１２】
【発明の実施の形態】
この発明の実施の形態としては、水道管などの流体管に分岐口を穿孔し、その分岐口に分水栓を取付ける際に使用する分水栓取付用シャッタ装置を前記流体管に取付固定する取付構造において、前記シャッタ装置のケーシングを前記流体管に当てがい、そのケーシングに前記流体管に沿う対のフック軸をその軸周りに回転自在に挿通し、その一方のフック軸から前記流体管を回って他方のフック軸に至るチェーンなどの締結条により、前記ケーシングと流体管を締結した構成を採用できる。
【００１３】
この構成において、チェーンのフック軸への固定手段としては、上記フック軸にフックの軸部を挿し通し、その軸部の端にナットをねじ込んで、前記フック軸にフックを固定し、そのフックに上記締結条を固定する等の構成を採用できる。このとき、前記フック軸のフック軸部の挿通孔を前記フック軸の端面に開口させて、その開口から前記フック軸部を前記挿通孔に出し入れ可能とし、かつ、前記フック軸には前記ナットが嵌って抜け止めされる凹部を形成すれば、フック軸へのフックの取付けが容易になるとともに、その容易になることによる抜け易さを、ナットの凹部への嵌合によって阻止できる。
【００１４】
また、上記ケーシングに上記フック軸に至るボルトをねじ込んで、そのボルトの先端をフック軸の周方向の溝に嵌めることにより、フック軸の軸方向の移動を阻止するようにすれば、フック軸の抜け止めがなされて、シャッタ装置の安定した取付固定状態を維持できる。このとき、  ボルトの先端をフック軸に圧接すれば、  フック軸の回転が確実に規制され、  シャッタ装置の取付固定状態がより安定する。圧接のみの場合には溝は省略できる。
【００１５】
このように、シャッタ装置を種々の外径の流体管に安定して確実に取付け固定してシャッタ装置の安定した取付固定状態を維持できれば、シャッタ装置が、ケーシング内のシャッタをねじ軸で進退させて、分水栓取付装置取付部と前記流体管の分岐口部分を連通・遮断するものであっても、ねじ軸を流体管に直交した状態でケーシングを流体管に取付けることができ、この取付状態は、ねじ軸が流体管の側方に突出した状態となり、ねじ軸に直接にハンドルを取付けてもその操作に支障がないものとなる。
【００１６】
従来では、特許文献２に記載のように、ケーシングを流体管の長さ方向に沿う長いものとして、シャッタ装置の流体管へ取付スペースを広く取っていた。このため、シャッタ用ねじ軸も流体管に沿うこととなり、ねじ軸に直接にハンドルを取付けると、そのハンドル操作に流体管が邪魔となる。このため、ベベルギヤ機構等を介して操作軸をねじ軸から立上げており、その分、シャッタ装置が嵩高くなるうえに、コストアップとなっていた。
【００１７】
【実施例】
図１及び図２において、２０はシャッタ装置１０のケーシング１１を水平に貫通した２本の穴（挿通孔）１２に嵌挿し、両端がケーシング１１より飛び出した対のフック軸で、流体管１に沿い（並行で）、その軸周りに回転自在となっている。４は、特許文献１で示される周知の拡径機であり、その作用は従来と同様である。ケーシング１１内は、ねじ軸５にシャッタ（シャッタ板）７がスライダ７ａを介してねじ合っており、ハンドル８を回すことにより、ねじ軸５を介してシャッタ７が進退し、図２実線のごとく後退することによりケーシング１１内を上下方向に連通し、同鎖線のごとく進行することによりケーシング１１内の上下方向を遮断する。すなわち、分岐口２部分と拡径機４及び穿孔機の取付部１１ａ内を連通・遮断する。図中、９ａは分水栓Ｖの開閉用コック、９ｂは穿孔時の切削くず混入水などの排出用コックである。
【００１８】
図３は、図１の状態から拡径機４、チェーン３、フック２６、段付座金２７、流体管１などを取り外して上部から見た平面図であり、フック軸２０の形状が破線で表されている。図４はこのフック軸２０を単品にした図面で、同図（ｂ）は（ａ）のＡ−Ａ断面図である。その２１はフック軸２０の飛び出し部分に設けられた平面部で、この平面部２１と直交する軸方向に後述のフック２６の挿通孔となるすり割り２２が設けられており、平面部２１にはザグリ状の凹部２３が設けてある。
【００１９】
フック軸２０の軸方向中央部付近外周には全周に亘る溝部２４があり、ケーシング１１にねじ込められたボルト２５の先端がその溝部２４に入り込み、フック軸２０の軸方向の動きを規制する。このとき、ボルト２５先端をフック軸２０に圧接すれば、フック軸２０の回転が阻止されるとともに、その圧接がチエーン３からの力による曲げモーメントに対する抗力に寄与する。フック軸２０がその軸周りに回転自在であると、チェーン３が管１外周面になじみ易い。このため、チエーン３の締結後に、フック軸２０の先端を圧接するとよい。溝２４の周方向の長さは、管１の径変化に応じたチェーン３の傾き角度の変化を吸収しうる範囲にあればよい。すなわち全周でなくてもよい。また、ボルト２５及び溝２４は１本又は１条に限らず、フック軸２０の軸方向に任意の数を設けることができる。圧接個所が増せば、  曲げモーメントに抗する力が増す。そのボルト２５（溝２４）の位置は等間隔が好ましく、  さらに、フック軸２０の軸方向中心に対し対称とするとよい。
【００２０】
図５は、フック軸２０の端部に取り付けられるフック２６、段付座金２７、ナット２８を示したもので、フック２６の軸部２６ａに段付座金２７、ナット２８を取り付けた状態で、フック２６の軸部２６ａをフック軸２０のすり割り部２２に嵌め込み、段付座金２７の凸部２７ａをフック軸２０のザグリ状凹部２３に嵌め込むことで、フック２６がフック軸２０の軸方向に抜けないようになる。この実施例では、請求項３でいう「ナット」を「ナット２８及び段付座金２７」で構成している。
【００２１】
この構成の取付構造では、フック軸２０の両端部にチェーン３により流体管１を締め付ける荷重がかかっても、フック軸２０はシャッタ装置１０（ケーシング１１）を押し付けるのみで、ケーシング１１の側面に曲げ荷重などは殆んど発生しない。また、フック軸２０がシャッタ装置１０（ケーシング１１）を押し付ける力は、ケーシング１１にフック軸２０の全長に亘って比較的均等に圧縮荷重としてかかるため、ケーシング１１の肉厚を大きくする必要がなく、軽量で安価なシャッタ装置１０を得ることができる。
【００２２】
この実施例にあっては、図６に示すように、外径の大きな流体管１に取り付けた状態でも、流体管１の外径の接線方向にチェーン３が傾いて、フック軸２０がそれに合うよう回転しても、段付座金２７が凹部２３に嵌っているため、フック２６及びナット２８の取付状態が不安定になることはない。外径の小さい流体管１でも同様である。
【００２３】
このシャッタ装置１０は、ケーシング１１の取付部１１ａに、例えば、図１に示すように、従来周知の拡径機４、穿孔機を取付けて分水栓Ｖの取付けを行う。その取付け作用は、特許文献１、２記載の技術と同様である。
【００２４】
上記実施例は、フック軸２０の両端に２本のチエーン３を設けたが、フック軸２０の長さ方向中程に１本のチエーン３を係止するようにし得る。このとき、ケーシング１１の中程は、その係止及びチエーン３の通過に支障がないように凹部とする。
【００２５】
【発明の効果】
この発明は、以上のようにして、ケーシングに回転自在に嵌挿したフック軸でチェーンを支持するようにしたので、シャッタ装置を安定して取付けることができる。
【図面の簡単な説明】
【図１】一実施例の一部切断正面図
【図２】同要部拡大切断正面図
【図３】図１において拡径機等を除いた平面図
【図４】同フック軸を示し、（ａ）は正面図、（ｂ）は（ａ）のＡ−Ａ線断面図
【図５】同フック部を示し、（ａ）はフックの正面図、（ｂ）は段付座金の断面図、（ｃ）はナットの断面図
【図６】同実施例の作用図
【図７】従来例の要部切断正面図
【図８】図７の右側面図
【図９】同作用図
【符号の説明】
１  流体管
２  分岐口
３  チェーン
４  拡径機
５  ねじ軸
６  パッキン
７  シャッタ
８  シャッタ進退用ねじ軸ハンドル
１０  シャッタ装置
１１  ケーシング
１１ａ  分水栓取付装置取付部
２０  フック軸
２２  すり割り部（挿通孔）
２３  ザグリ状凹部
２５  ボルト
２６  フック
２６ａ  フック軸部
２７  段付座金
２７ａ  段付座金の凹部
２８  ナット
【図１】
2004176854.tif 000003
【図２】
2004176854.tif 000004
【図３】
2004176854.tif 000005
【図４】
2004176854.tif 000006
【図５】
2004176854.tif 000007
【図６】
2004176854.tif 000008
【図７】
2004176854.tif 000009
【図８】
2004176854.tif 000010
【図９】
2004176854.tif 000011